(57)【特許請求の範囲】
【請求項１】
筒状の丸編生地から成る袋胴部１と、この袋胴部１の端部の生地同士を接合した袋底部２とから成る生分解性高分子糸製の丸編み袋であって、袋胴部１の端部の袋底部の丸編生地の中には、当該袋胴部１を構成している糸よりも低融点の溶着糸Ｍが編み込まれ、この溶着糸Ｍのみが加熱溶着されて袋胴部１の端部の丸編生地同士を溶着固定していることを特徴とする台所等流し台用の生分解性の水切り丸編みゴミ袋。
【請求項２】
袋胴部１の構成糸および溶着糸Ｍが、生分解性脂肪族ポリエステル糸であることを特徴とする請求項１記載の台所等流し台用の生分解性の水切り丸編みゴミ袋。
【請求項３】
袋胴部１の端部の生地が局部的に収束した状態で溶着糸Ｍにより溶着接合されて袋底部２が形成されていることを特徴とした請求項１または請求項２記載の台所等流し台用の生分解性の水切り丸編みゴミ袋。
【発明の詳細な説明】
【０００１】
【発明の属する技術分野】
本発明は、生分解性簡易丸編み袋、より詳しくは、縫製箇所が全く無く安価で丈夫な台所等流し台用の生分解性の水切り丸編みゴミ袋に関するものである。
【０００２】
【従来の技術】
最近、調理場、台所等の流し台用の水切りゴミ袋として、編地にて製袋された簡易編袋が多用されている。この簡易編袋は、従来の多数の細孔を明けた合成樹脂フィルム製のゴミ袋に比べて格段に水切り性に優れており、また、伸縮自在であるところから、流し台の排水口やバスケット（通称三角コーナー）にも簡単に装着することができ、更には、再生繊維から製袋できるので、資源の有効利用を図るにも都合が良い。
【０００３】
しかしながら、従来の編地袋は、製袋時に袋の底辺または側辺を接合するための手間の掛かる縫製処理を施さねばならず、この縫製作業が編地袋の製造コストを押し上げる結果となっていた。
【０００４】
更にまた、従来の編地袋は、ポリエチレン等のポリオレフィン系樹脂繊維等で構成されていたため、使用後に焼却処理する場合には、炭酸ガスの発生量が多いことや高温燃焼による焼却炉の損傷の問題が避けられず、土中に埋立廃棄する場合にも、微生物等によって分解されずに半永久的に残存し、例えば、袋内の生ゴミの堆肥化を阻害するなどの難点があった。
【０００５】
【発明が解決しようとする課題】
本発明は、従来の編地袋に上記の如き難点があったことに鑑みて為されたもので、縫製箇所が全く無く安価で丈夫な台所等流し台用の生分解性の水切り丸編みゴミ袋丸編み袋を提供することを技術的課題とするものである。
【０００６】
【課題を解決するための手段】
本発明は、上記の技術的課題を解決するために、筒状の丸編生地から成る袋胴部１と、この袋胴部１の端部の生地同士を接合した袋底部２とから成る生分解性高分子糸製の丸編み袋であって、袋胴部１の端部の袋底部の丸編生地の中には、当該袋胴部１を構成している糸よりも低融点の溶着糸Ｍが編み込まれ、この溶着糸Ｍのみが加熱溶着されて袋胴部１の端部の丸編生地同士を溶着固定するという技術的手段を採用した。
【０００７】
ここで、生分解性高分子とは、自然界の土壌中や淡水・海水中に生存する微生物や生体酵素によって比較的容易に分解され、その分解生成物が生態系に無害である高分子材料をいうものであり、水切りゴミ袋の構成素材として使用できる程度の耐水性を有するものであれば、特に限定されるものではなく、例えば、ポリエチレンサクシネート、ポリエチレンアジペート等の脂肪族ポリエステル、ポリ乳酸、ポリカプロラクトン等のオキシカルボン酸やラクトンのポリエステル、微生物が自然界で作るポリ−３−ヒドロキシバリレート、ポリ−３−ヒドロキシブチレート、ポリ−３−ヒドロキシカプロレート等の微生物ポリエステル等を挙げることができ、これらの単独または二種以上を配合して使用することができる。
【０００８】
【発明の実施の形態】
以下、本発明を添付図面に示す実施形態に基づいて詳しく説明する。なお、図１は本発明に係る台所等流し台用の生分解性の水切り丸編みゴミ袋の全体斜視図、図２〜図４は同生分解性簡易丸編み袋の製造方法を示す製造工程図、図５及び図６は台所等流し台用の生分解性の水切り丸編みゴミ袋の他の製造方法を示す製造工程図である。
【０００９】
図１に示す本実施形態の台所等流し台用の生分解性の水切り丸編みゴミ袋Ｈは、流し台の排水口やバスケット（通称三角コーナー）に装着可能な水切りゴミ袋として具体化されている。
【００１０】
図１中、符号１で指示するものは、本実施形態の生分解性の水切り丸編みゴミ袋Ｈの袋胴部であり、この袋胴部１は、生分解性高分子から成る糸を丸編みした筒状の丸編生地から構成されている。本実施形態では、生分解性を備えたポリエチレンサクシネート糸（昭和高分子株式会社製「ビオノーレ（登録商標）＃1000」、融点114℃）を平編組織で筒状に編成した伸縮自在な丸編生地を採用しており、この袋胴部１の袋口部10は、予め仮縒りした生分解性ポリ乳酸繊維（カネボウ合繊株式会社製「ラクトロン」）を丸編みして拡縮自在になっている。
【００１１】
図１中、符号２で指示するものは、本実施形態の生分解性の水切り丸編みゴミ袋Ｈの袋底部であり、この袋底部２は、生分解性を有し低融点の溶着糸を加熱溶融して袋胴部１の端部の生地同士を溶着固定して構成されている。即ち、ポリエチレンサクシネート糸から構成された袋胴部１の端部には予め、当該ポリエチレンサクシネート糸よりも低融点の生分解性を備えた溶着糸Ｍが、当該ポリエチレンサクシネート糸の組織に同時に編み込まれており（図２参照）、かかる溶着糸Ｍのみを加熱溶融せしめることによって袋胴部１の端部の生地同士(ポリエチレンサクシネート糸同士）を溶着固定して袋底部２が構成されているのである。なお、本実施形態では溶着糸Ｍとして生分解性を備えたポリエチレンサクシネート・アジペート糸（昭和高分子株式会社製「ビオノーレ（登録商標）＃3000」融点95℃）を採用している。
【００１２】
このように、本実施形態の生分解性の水切り丸編みゴミ袋Ｈにあっては、丸編生地Ｆの生地同士を溶着糸で溶着固定して袋底部２を構成しているので、従来の編地ゴミ袋のように手間の掛かる縫製処理を一切行わずとも簡単に製袋することができ、極めて安価な水切りゴミ袋を提供することができるのである。
【００１３】
また、本実施形態の生分解性の水切り丸編みゴミ袋Ｈは、袋胴部１を構成している構成糸そのものを溶融させるのではなく、低融点の溶着糸Ｍのみを加熱溶融させることによって袋底部２を形成しているので、この袋胴部１を構成している構成糸の熱履歴による強度低下等の品質劣化を回避することが可能となり、しかも、この袋胴部１の構成糸を取り囲んで固化した溶着糸Ｍが袋胴部１の端部を確実に固定するので、極めて丈夫な水切りゴミ袋を提供することができるのである。
【００１４】
また、本実施形態の生分解性の水切り丸編みゴミ袋Ｈは、袋胴部１を構成する構成糸および袋底部２を形成する溶着糸Ｍが、生分解性高分子から構成されているので、微生物等によって容易に分解されることになり、厨芥等の生ゴミを袋ごと土中に埋めたり、堆肥化装置に入れても、土中や堆肥化装置中で完全に分解され、袋内の生ゴミの堆肥化を阻害することもない。また、この生分解性簡易丸編み袋Ｈの袋胴部１は編み組織を成していて優れた水分透過性を有しているので、微生物等による分解を促進することができ、比較的短期間に分解、堆肥化することができるのである。
【００１５】
なお、本実施形態では、この袋底部２を、袋胴部１の端部の生地同士を殆ど襞を形成させることなく単に重ね合わせるようにして溶着糸Ｍで溶着接合して構成しているが、本発明はこれに限定されるものではなく、図６に示すように、袋胴部１の端部の生地を局部的に収束させた状態で溶着糸により溶着接合して袋底部２を形成するようにしても良い。このように、袋胴部１の端部の生地を収束させて溶着固定すれば、袋底部２がより丈夫になる。
【００１６】
本実施形態の生分解性の水切り丸編みゴミ袋Ｈは、次の製造方法によって製造される。図２〜図４を参照しながら説明する。
【００１７】
まず、図２に示すように、周知の丸編み機を用いて、両端部に伸縮自在な耳組織Ｓ・Ｓを有し、長手方向における中間部位に、他部位を構成している糸よりも低融点の溶着糸Ｍが編み込まれた筒状の丸編生地Ｆを編成する。この丸編生地Ｆを構成する構成糸及び溶着糸Ｍは生分解性高分子を含んでいる。
【００１８】
そして、図３に示すように、この丸編生地Ｆの中間部位を加熱し、この低融点の溶着糸Ｍのみを溶融させ、この溶着糸Ｍが丸編生地Ｆを構成する糸を取り囲んだ状態で当該溶着糸Ｍを冷却固化せしめることにより、丸編生地Ｆの中間部位の生地同士を溶着接合する。
【００１９】
然る後、図３中の符号Ｃで指示するように、この溶着糸Ｍによる溶着接合部を切断して丸編生地Ｆを二分割することによって、図４に示すように、筒状の丸編生地から成る袋胴部１と、この袋胴部１の端部を溶着糸で溶着接合した袋底部２とから生分解性の水切り丸編みゴミ袋Ｈが製造されるのである。
【００２０】
このように、本実施形態の生分解性の水切り丸編みゴミ袋Ｈの製造方法にあっては、丸編生地Ｆの生地同士を溶着糸Ｍで溶着接合してから切断するので、切断処理が簡単であると共に、両端部に耳組織Ｓを有する丸編生地Ｆから同時に二つの生分解性の水切り丸編みゴミ袋Ｈを製造することができるので効率的に量産することができ、生産性が向上して台所等流し台用の生分解性の水切り丸編みゴミ袋を安価に提供することが可能なのである。
【００２１】
なお、上記実施形態の製造方法にあっては、丸編生地Ｆの中間部位の生地同士を、あまり襞を形成させることなく単に重ね合わせるようにして溶着糸Ｍで溶着接合しているが、これに限定されるものではなく、図５に示すように、丸編生地Ｆの中間部位を局部的に収束させて溶着糸Ｍで溶着接合するようにしても良い。このことによって、図６に示すように、袋胴部１の端部の生地を収束させて溶着固定した袋底部２を備えた丈夫な生分解性の水切り丸編みゴミ袋Ｈを量産することが可能となる。
【００２２】
【発明の効果】
以上、実施形態をもって説明したとおり、本発明に係る台所等流し台用の生分解性の水切り丸編みゴミ袋にあっては、丸編生地の生地同士を溶着糸で溶着固定して袋底部を構成しているので、従来の編地ゴミ袋のように手間の掛かる縫製処理を一切行なわずとも簡単に製袋することができ、極めて安価な水切りゴミ袋を提供することができる。
【００２３】
また、本発明の台所等流し台用の生分解性の水切り丸編みゴミ袋は、袋胴部を構成している糸そのものを溶融させるのではなく低融点の溶着糸を加熱溶融させることによって袋底部が形成されているので、この袋胴部を構成している糸の熱履歴による強度低下等の品質劣化を回避することが可能となり、しかも、この袋胴部の構成糸を取り囲んで固化した溶着糸が袋胴部の端部を確実に固定するので、極めて丈夫な水切りゴミ袋を提供することができる。
【００２４】
また、本発明の台所等流し台用の生分解性の水切り丸編みゴミ袋は、袋胴部を構成している構成糸及び袋底部を形成する溶着糸が、生分解性高分子を含んでいるので、微生物等によって容易に分解されることになり、厨芥等の生ゴミを袋ごと土中に埋めたり、堆肥化装置に入れても、土中や堆肥化装置中で完全に分解され、袋内の生ゴミの堆肥化を阻害することがない。また、この生分解性簡易丸編み袋の袋胴部は編み組織を成していて優れた水分透過性を備えているので、微生物等による分解を促進することができ、比較的短期間に分解、堆肥化することができるのである。
【図面の簡単な説明】
【図１】本発明に係る生分解性簡易丸編み袋の全体斜視図である。
【図２】同生分解性簡易丸編み袋の製造方法を示す製造工程図である。
【図３】同生分解性簡易丸編み袋の製造方法を示す製造工程図である。
【図４】同生分解性簡易丸編み袋の製造方法を示す製造工程図である。
【図５】同生分解性簡易丸編み袋の他の製造方法を示す製造工程図である。
【図６】同生分解性簡易丸編み袋の他の製造方法を示す製造工程図である。
【符号の説明】
１      袋胴部
２      袋底部
Ｆ      丸編生地
Ｍ      溶着糸
【図１】
0004400972.tif 000002
【図２】
0004400972.tif 000003
【図３】
0004400972.tif 000004
【図４】
0004400972.tif 000005
【図５】
0004400972.tif 000006
【図６】
0004400972.tif 000007